(57)【要約】【解決手段】紐体２で顔面に固定するカバー体１を設ける。該カバー体１の内部に収納されカバー体１前面の送風口１Ａから送風する送風機３を設ける。該送風機３の後面に装着され、カバー体１前面の吸入口１Ｂから吸入した空気を除塵するフィルター４を設ける。カバー体１前面に形成される送風口１Ａからの風圧で花粉状粒子を吹飛ばしながら空気を吸入する。フィルター４の周囲縁に固定枠４Ａを設け、前記カバー体１に固定枠４Ａごと着脱自在に装着する。【効果】マスク周辺の花粉や塵埃等を風圧で遠ざけることで、吸引する花粉等を限りなく少なくすることができる。【選択図】      図１
2004344395.tif 000002
【特許請求の範囲】
【請求項１】
紐体で顔面に固定するカバー体と、該カバー体の内部に収納されカバー体前面に開口した複数の送風口から送風する送風機と、該送風機の後面に装着され、カバー体前面の吸入口から吸入した空気を除塵するフィルターとからなり、吸入口の周囲に複数の送風口を配設し、カバー体前面に形成される送風口からの風圧で花粉状粒子を吹飛ばしながら空気を吸入するようにしたことを特徴とするマスク装置。
【請求項２】
前記フィルターに固定枠を設け、前記カバー体に固定枠ごと着脱自在に装着される請求項１記載のマスク装置。
【請求項３】
前記送風機は、前記カバー体に収納された送風管体の内部に収納され、該送風管体の送風口をカバー体前面の送風口に開口すると共に、送風管体の側面に吸引口を設け、前記カバー体前面の吸入口から流入した空気を吸引口に導入するようにした請求項１記載のマスク装置。
【請求項４】
前記カバー体前面の吸入口に補助フィルターを装着した請求項１又は３記載のマスク装置。
【発明の詳細な説明】
【０００１】
【発明の属する技術分野】
本発明は、主に花粉症対策として使用するマスク装置に係り、特に、マスク周辺の花粉や塵埃等を風圧で遠ざけることができるマスク装置に関する。
【０００２】
【従来の技術】
従来、花粉症などに用いるマスクとして、特許文献１及び特許文献２に記載されたマスクが提案されている。
【０００３】
特許文献１に記載された衛生マスクは、プロポリス液を含浸させた布をガーゼで包み、マスクの内側に当てて使用するものである。このマスクによると、プロポリス液成分を吸い込むことにより、花粉症を改善しようとするものである。
【０００４】
一方、特許文献２に記載された花粉症用マスクでは、ユーカリ・ラジアタ等の薬剤を染み込ませた不織布をマスクのガーゼの間に貼り付けている。この花粉症用マスクでは、ユーカリ・ラジアタ等の薬剤効果を花粉症に適用させるものである。
【０００５】
【特許文献１】
特開平５‐７６５９７号公報
【特許文献２】
特開平１１‐３４２２１５号公報
【０００６】
【発明が解決しようとする課題】
しかしながら、特許文献１、２に記載されたマスクでは、マスクに含浸するプロポリス液成分や、マスクに塗布するユーカリ・ラジアタ等の薬効を花粉症に期待するものである。このため、これらの薬効が花粉症の治療や改善に効果がない場合は、一般に市販されているマスクと構造上は全く変わらないので、市販のマスク以上の効果は得られない。
【０００７】
花粉症は、空気中に飛散するある種の花粉を吸い込むことで発症することが知られている。そこで、この花粉を吸い込まないようにするには、空気中に飛散する花粉を、のどや口の周辺に近付けないようにすることが望ましい。しかしながら、一般に市販されているマスクや、前記特許文献に記載されたマスクでは、マスクの周囲に近付く花粉等を近づけないようにすることはできない。
【０００８】
そこで、本発明は上述の課題を解消すべく創出されたもので、マスク周辺の花粉や塵埃等を風圧で遠ざけることで、吸引する花粉等を限りなく少なくすることが可能なマスク装置の提供を目的とするものである。
【０００９】
【課題を解決するための手段】
上述した目的を達成するため、本発明の第１の手段は、紐体２で顔面に固定するカバー体１と、該カバー体１の内部に収納されカバー体１前面に開口された複数の送風口１Ａから送風する送風機３と、該送風機３の後面に装着され、カバー体１前面の吸入口１Ｂから吸入した空気を除塵するフィルター４とからなり、吸入口１Ｂの周囲に複数の送風口１Ａを配設し、カバー体１前面に形成される送風口からの風圧で花粉状粒子を吹飛ばしながら空気を吸入するようにしたことにある。
【００１０】
第２の手段は、フィルター４の周囲縁に固定枠４Ａを設け、前記カバー体１に固定枠４Ａごと着脱自在に装着するようにしている。
【００１１】
第３の手段における送風機３は、前記カバー体１に収納された送風管体５の内部に収納され、該送風管体５の送風口５Ａをカバー体１の前面の送風口１Ａに開口すると共に、送風管体５の側面に吸引口５Ｂを設け、前記カバー体１前面の吸入口１Ｂから流入した空気を吸引口５Ｂに導入する。
【００１２】
第４の手段は、カバー体１前面の吸入口１Ｂに補助フィルター６を装着することで、吸引初期の空気を除塵するものである。
【００１３】
本発明によると、送風機３によって顔周辺の花粉や花粉状の微粒子、塵埃などを吹き飛ばし、吸入口１Ｂの周辺に花粉等が近付かないようにしている。そして、これら花粉等の微粒子が極めて少なくなった空気をカバー体１内に吸入し、フィルター４で改めて除塵するものである。
【００１４】
【発明の実施の形態】
以下、図面を参照して本発明の実施の形態を説明する。
【００１５】
本発明マスク装置の基本構成は、カバー体１、紐体２、送風機３、フィルター４、送風管体５からなる（図１参照）。
【００１６】
カバー体１は、柔軟な合成樹脂材等にて形成され、紐体２で顔面に固定して口と鼻を覆うものであり、この内部に送風機３とフィルター４とを装着する。この際、顔に接触する材質を極めて柔軟性に富んだ材質とし、送風機３やフィルター４を装着する部材を硬質の材料で形成することも可能である。
【００１７】
カバー体１の前面には、送風口１Ａと吸入口１Ｂとを開口している。送風口１Ａは、カバー体１内部に装着した送風機３からの風を排出し、吸入口１Ｂからカバー体１内に空気を吸入する。これら送風口１Ａと吸入口１Ｂとは、カバー体１の内部で分離している（図２参照）。すなわち、送風口１Ａには、送風管体５が連結されており、この送風管体５の内部に送風機３が収納されている。そして、送風管体５の送風口５Ａをカバー体１の送風口１Ａに連結する。一方、吸入口１Ｂから吸入した空気を送風管体５内に取り入れる吸引口５Ｂを送風管体５の側面に開穿している（図３参照）。この結果、カバー体１前面の空気は、吸入口１Ｂからカバー体１内部に吸入され、送風管体５側面の吸引口５Ｂから送風管体５内部に吸引され、送風機３によって送風口５Ａを介し送風口１Ａから送風されるものである。
【００１８】
送風機３は、図示しない電池あるいは携帯用電源などで作動し、カバー体１の前面に開口した複数の送風口１Ａから常時送風する。この風向きは、前記吸入口１Ｂの周囲から更に放射方向に送風するように設けている（図２参照）。すなわち、送風口１Ａは、吸入口１Ｂを囲むように配設し、バリアー状に送風することで、吸入口１Ｂ周辺の花粉や花粉状の微粒子、あるいは塵埃等を風圧で吸入口１Ｂに近付けないようにしている。この結果、吸入口１Ｂからは、花粉等の微粒子が少ない空気が吸入されるものである。
【００１９】
フィルター４は、カバー体１の内部に吸入された空気を除塵するものである。このフィルター４として、不織布やガーゼ、静電フィルター等を用いる。特に、静電フィルターを用いることで、極めて微細な粒子まで捕らえることが可能になり、花粉症対策のほか、ウィルス防止やＳＡＲＳなどの感染症予防のマスクとしても好適である。このフィルター４は、送風機３の後面に着脱自在に装着される。図示のフィルター４は、フィルター４の形状を整える固定枠４Ａを設けている（図１参照）。そして、カバー体１の上面に設けたフィルター４装着用のスリット１Ｃから、カバー体１内部のスライド溝部１Ｄに、フィルター４を固定枠４Ａごとスライド挿入している。尚、図中符号１Ｅは、送風機３及び送風管体５を固定すると共に、フィルター４に接する面に空気の流通孔を有する仕切板１Ｅである（図２参照）。また、このフィルター４の着脱手段は、図示例に限らず、フィルター４の交換ができる手段であれば良い。
【００２０】
図３に示す符号６は、カバー体１前面の吸入口１Ｂに装着した補助フィルターである。この補助フィルター６は、特に吸引初期の空気を除塵するもので、送風口１Ａから充分に送風される前に、吸入口１Ｂの周囲に飛散している花粉等が吸入口１Ｂに吸い込まれたときに除塵する。この補助フィルター６も交換自在にすることで、常に清潔な使用が可能になる。特に、この補助フィルター６を、前記フィルター４と共に、静電フィルターを用いた場合には、極めて高い除塵効果が得られるものになる。
【００２１】
【発明の効果】
本発明は上述の如く構成したことにより、当初の目的を達成した。すなわち、紐体２で顔面に固定するカバー体１と、該カバー体１の内部に収納されカバー体１前面に開口された複数の送風口１Ａから送風する送風機３と、該送風機３の後面に装着され、カバー体１前面の吸入口１Ｂから吸入した空気を除塵するフィルター４とからなり、吸入口１Ｂの周囲に複数の送風口１Ａを配設し、カバー体１前面に形成される送風口１Ａからの風圧で花粉状粒子を吹飛ばしながら空気を吸入するようにしたことにより、本発明マスク装置周辺の花粉や塵埃等を風圧で遠ざけることで、吸引する花粉等を限りなく少なくすることができる。
【００２２】
また、フィルター４の周囲縁に固定枠４Ａを設け、前記カバー体１に固定枠４Ａごと着脱自在に装着するので、フィルター４の交換が容易で常に清潔なフィルター４を使用することが可能である。
【００２３】
更に、送風機３は、前記カバー体１に収納された送風管体５の内部に収納され、該送風管体５の送風口５Ａをカバー体１の前面の送風口１Ａに開口すると共に、送風管体５の側面に吸引口５Ｂを設け、前記カバー体１前面の吸入口１Ｂから流入した空気を吸引口５Ｂに導入するので、カバー体１前面の花粉や塵埃を効率良く吹飛ばすことができる。
【００２４】
しかも、カバー体１前面の吸入口１Ｂに補助フィルター６を装着することで、吸引初期の空気を除塵するので、花粉や塵埃等がカバー体１内部へ侵入するのを確実に防止することができる。
【００２５】
このように、本発明によると、マスク周辺の花粉や塵埃等を風圧で遠ざけることで、吸引する花粉等を限りなく少なくすることができる、などといった有益な効果を奏するものである。
【図面の簡単な説明】
【図１】本発明の一実施例を示す一部省略分解斜視図である。
【図２】本発明の内部を示す平断面図である。
【図３】本発明の送風管体を示す平断面図である。
【符号の説明】
１  カバー体          １Ａ  送風口
１Ｂ  吸入口
１Ｃ  スリット
１Ｄ  スライド溝部
１Ｅ  仕切板
２  紐体
３  送風機
４  フィルター        ４Ａ  固定枠
５  送風管体          ５Ａ  送風口
５Ｂ  吸引口
６  補助フィルター
【図１】
2004344395.tif 000003
【図２】
2004344395.tif 000004
【図３】
2004344395.tif 000005